【手続補正書】
【提出日】平成18年12月12日(2006.12.12)
【手続補正１】
【補正対象書類名】特許請求の範囲
【補正対象項目名】全文
【補正方法】変更
【補正の内容】
【特許請求の範囲】
【請求項１】
ウィンドウエリアに対応する画像データが判定パターンに一致するか否かを判定する判定手段と、
前記判定パターンに一致する画像データの、前記ウィンドウエリアの予め定めた位置の画素の値を変更する変更手段と、
前記判定および変更手段による画像処理を経た画像データを出力する出力手段とを有することを特徴とする画像処理装置。
【請求項２】
前記判定パターンは、前記ウィンドウエリアの下端に白画素領域を有し、前記白画素領域以外は黒画素領域であることを特徴とする請求項1に記載された画像処理装置。
【請求項３】
前記変更手段は、前記白画素領域との境界から一画素分または複数画素分、前記黒画素領域に入ったライン上の画素を予め定めた間隔で白画素に変更することを特徴とする請求項2に記載された画像処理装置。
【請求項４】
ウィンドウエリアに対応する画像データが判定パターンに一致するか否かを判定する判定手段と、
前記判定パターンに一致する画像データの、前記ウィンドウエリアの、置換パターンによって指定される画素の値を変更する変更手段と、
前記判定および変更手段による画像処理を経た画像データを出力する出力手段とを有することを特徴とする画像処理装置。
【請求項５】
前記判定パターンは、前記ウィンドウエリアの下端に白画素領域を有し、前記白画素領域以外は黒画素領域であることを特徴とする請求項4に記載された画像処理装置。
【請求項６】
前記置換パターンは、前記白画素領域との境界から一画素分または複数画素分、前記黒画素領域に入ったライン上の画素を指定することを特徴とする請求項5に記載された画像処理装置。
【請求項７】
前記変更手段は、前記置換パターンによって指定される画素を予め定めた間隔で白画素に変更することを特徴とする請求項6に記載された画像処理装置。
【請求項８】
前記置換パターンには、前記白画素領域との境界から一画素分、前記黒画素領域に入ったライン上の画素を指定する第一のパターン、並びに、前記境界から二画素分、前記黒画素領域に入ったライン上の画素を指定する第二のパターンがあり、前記変更手段は、前記第一および第二のパターンを交互に使用することを特徴とする請求項5に記載された画像処理装置。
【請求項９】
前記置換パターンには、前記白画素領域との境界から一および三画素分、前記黒画素領域に入ったライン上の複数の画素を指定する第一のパターン、並びに、前記境界から二画素分、前記黒画素領域に入ったライン上の画素を指定する第二のパターンがあり、前記変更手段は、前記第一および第二のパターンを交互に使用することを特徴とする請求項5に記載された画像処理装置。
【請求項１０】
前記置換パターンには、前記白画素領域との境界から一画素分、前記黒画素領域に入ったライン上の画素を指定する第一のパターン、前記第一のパターンと前記境界から二画素分、前記黒画素領域に入ったライン上の画素を指定するパターンを組み合わせた第二のパターン、前記第一および第二のパターンと前記境界から三画素分、前記黒画素領域に入ったライン上の画素を指定するパターンを組み合わせた第三のパターン、並びに、前記境界から一および二画素分、前記黒画素領域に入ったライン上の複数の画素を指定する第四のパターンがあり、
さらに、少なくともユーザの指示、記録媒体の種類および前記画像の形成環境の何れかに応じて第一から第四のパターンを選択的に前記変更手段に設定する設定手段を有することを特徴とする請求項5に記載された画像処理装置。
【請求項１１】
ウィンドウエリアに対応する画像データが判定パターンに一致するか否かを判定する判定ステップと、
前記判定パターンに一致する画像データの、前記ウィンドウエリアの予め定めた位置の画素の値を変更する変更ステップと、
前記判定および変更ステップによる画像処理を経た画像データを出力する出力ステップとを有することを特徴とする画像処理方法。
【請求項１２】
ウィンドウエリアに対応する画像データが判定パターンに一致するか否かを判定する判定ステップと、
前記判定パターンに一致する画像データの、前記ウィンドウエリアの、置換パターンによって指定される画素の値を変更する変更ステップと、
前記判定および変更ステップによる画像処理を経た画像データを出力する出力ステップとを有することを特徴とする画像処理方法。
【請求項１３】
画像の処理対象領域内にエッジ部があるか否かを判定する判定手段と、
前記判定手段によって前記処理対象領域内にエッジ部があると判定されると、前記処理対象領域の注目画素を間引く間引き手段とを有し、
前記注目画素は、前記画像のエッジ部ではなく、該エッジ部から予め定めた画素数分、離れた位置にあることを特徴とする画像処理装置。
【請求項１４】
画像の処理対象領域が判定パターンに一致するか否かを判定する判定手段と、
前記判定パターンに一致する処理対象領域の注目画素を間引く間引き手段とを有し、
前記注目画素は、前記画像のエッジ部ではなく、該エッジ部から予め定めた画素数分、離れた位置にあることを特徴とする画像処理装置。
【請求項１５】
さらに、前記間引き手段が画素を間引く幅を示すユーザ指示を入力する操作部を有することを特徴とする請求項13または請求項14に記載された画像処理装置。
【請求項１６】
さらに、前記間引き手段が画素を間引く幅を前記画像を形成する記録媒体の種類に応じて設定する設定手段を有することを特徴とする請求項13または請求項14に記載された画像処理装置。
【請求項１７】
画像の処理対象領域内にエッジ部があるか否かを判定する判定ステップと、
前記判定ステップにおいて前記処理対象領域内にエッジ部があると判定されると、前記処理対象領域の注目画素を間引く間引きステップとを有し、
前記注目画素は、前記画像のエッジ部ではなく、該エッジ部から予め定めた画素数分、離れた位置にあることを特徴とする画像処理方法。
【請求項１８】
画像の処理対象領域が判定パターンに一致するか否かを判定する判定ステップと、
前記判定パターンに一致する処理対象領域の注目画素を間引く間引きステップとを有し、
前記注目画素は、前記画像のエッジ部ではなく、該エッジ部から予め定めた画素数分、離れた位置にあることを特徴とする画像処理方法。
【請求項１９】
画像処理装置を制御して、請求項11、請求項12、請求項17、請求項18の何れか一項に記載された画像処理を実行することを特徴とするコンピュータプログラム。
【請求項２０】
請求項19に記載されたコンピュータプログラムが記録されたことを特徴とするコンピュータが読み取り可能な記憶媒体。
【手続補正２】
【補正対象書類名】明細書
【補正対象項目名】００１１
【補正方法】変更
【補正の内容】
【００１１】
本発明にかかる画像処理は、ウィンドウエリアに対応する画像データが判定パターンに一致するか否かを判定し、判定パターンに一致するウィンドウエリアの予め定めた位置の画素の値を変更する画像処理を経た画像データを出力することを特徴とする。
【手続補正３】
【補正対象書類名】明細書
【補正対象項目名】００１３
【補正方法】変更
【補正の内容】
【００１３】
本発明にかかる画像処理方法は、画像の対象領域内にエッジ部があるか否かを判定する判定ステップと、前記判定ステップにおいて前記対象領域内にエッジ部があると判定されると、前記対象領域の注目画素を間引く間引きステップとを有し、前記注目画素は、前記画像のエッジ部ではなく、該エッジ部から予め定めた画素数分、離れた位置にあることを特徴とする。
【手続補正４】
【補正対象書類名】明細書
【補正対象項目名】００１４
【補正方法】変更
【補正の内容】
【００１４】
また、画像の対象領域が判定パターンに一致するか否かを判定する判定ステップと、前記判定パターンに一致する対象領域の注目画素を間引く間引きステップとを有し、前記注目画素は、前記画像のエッジ部ではなく、該エッジ部から予め定めた画素数分、離れた位置にあることを特徴とする。